(57)【要約】【課題】任意範囲の比較波形を見やすく表示させる波形表示装置および波形表示方法を実現することを目的にする。【解決手段】本発明は、波形データを表示部に波形表示する波形表示装置において、波形データの少なくとも２つのデータ範囲を入力する入力部と、この入力部のデータ範囲に基づいて、波形データを表示部に重ね合わせて波形表示する比較波形表示手段とを設けたことを特徴とするものである。【選択図】図１
2010249638.tif 000002
【特許請求の範囲】
【請求項１】
波形データを表示部に波形表示する波形表示装置において、
前記波形データの少なくとも２つのデータ範囲を入力する入力部と、
この入力部のデータ範囲に基づいて、前記波形データを前記表示部に重ね合わせて波形表示する比較波形表示手段と
を設けたことを特徴とする波形表示装置。
【請求項２】
前記波形データを前記表示部に波形表示すると共に、前記入力部の入力により、データ範囲の期間を表示する波形表示手段を有することを特徴とする請求項１記載の波形表示装置。
【請求項３】
前記比較波形表示手段は、データ範囲ごとに線種または色を変えて波形表示することを特徴とする請求項１または２記載の波形表示装置。
【請求項４】
前記比較波形表示手段は、前記入力部の指示により、波形データの時刻データの時刻及びデータの値を前記表示部に表示することを特徴とする請求項１〜３のいずれかに記載の波形表示装置。
【請求項５】
波形データを表示部に波形表示する波形表示方法において、
前記波形データの少なくとも２つのデータ範囲を入力部により入力し、
この少なくとも２つのデータ範囲の波形データを前記表示部に重ね合わせて波形表示することを特徴とする波形表示方法。
【請求項６】
前記波形データを前記表示部に波形表示すると共に、前記入力部の入力により、データ範囲の期間を表示する波形表示することを特徴とする請求項５記載の波形表示方法。
【発明の詳細な説明】
【技術分野】
【０００１】
本発明は、波形データを表示部に波形表示する波形表示装置および波形表示方法において、波形ごとの任意範囲の波形を見やすく表示させる波形表示装置および波形表示方法に関するものである。
【背景技術】
【０００２】
各種工場や実験施設において、波形測定装置等でサンプリングされたデータを波形表示する際に、周期的に変化する波形の２つ以上の範囲区間の波形比較が必要な場合がある。例えばオシロスコープなどによる周期電圧の波形データ比較、化学プラントにおける生産物収量のトレンドグラフの日毎の比較や、工場での交替制シフト勤務における昼間シフトと夜間シフトの生産量のトレンドグラフの比較、などである。２つ以上の波形を比較する方法は、例えば下記特許文献１にも示されているが、この方法では比較波形が現在と過去の波形に限られており、任意の２つ以上の時刻範囲を比較することが出来ない。従来では、任意の２つ以上の範囲区間の波形を比較する際に同じ波形を２つの表示ウィンドウに表示させ、２つの表示ウィンドウを上下に並べ、波形の比較を行っていた。
【０００３】
２つ以上の区間範囲についての比較表示を行う波形表示装置を、図６を用いて説明する。
図６において、記憶部１０１はオシロスコープ等の測定器（図示せず) で取得した波形データが格納される。入力部１０２はマウスキーボード等で、入力を行う。表示部１０３はモニタ等で、波形表示等を行う。制御部１０４は、記憶部１０１、入力部１０２、表示部１０３に接続され、波形表示手段１０５を有する。波形表示手段１０５は、入力部１０２の入力によって、記憶部１０１の波形データを表示部１０４に波形表示する。
【０００４】
このような装置の動作を以下に説明する。図７は記憶部１０１に格納されている波形データの表示例である。波形ウィンドウ１１１は、比較の基準となる範囲の基準波形を表示させ、２９日の８：００〜翌日の０：００の時間帯の範囲の波形を表示させている。波形ウィンドウ１１２は、３０日の８：００〜翌日の０：００の時間帯の範囲の波形を表示させている。
【０００５】
オシロスコープなどの測定機器により波形データを取得し記憶部１０１に格納する。ユーザは制御部１０４を入力部１０２によって操作し、記憶部１０１に格納されている波形データを読み出し、表示部１０３に表示ウィンドウ１１１，１１２を並べて表示する。これら二つの表示ウィンドウ１１１，１１２を表示部１０３に並べることで比較を行う。
【先行技術文献】
【特許文献】
【０００６】
【特許文献１】特開２００８−７０２９５公報
【発明の概要】
【発明が解決しようとする課題】
【０００７】
これらの方法でも任意範囲の波形を比較することは可能であるが、複数の表示ウィンドウで表示するため、比較する範囲数が多くなるにつれ１つの表示ウィンドウの波形領域が狭くなり、波形が見難くなってしまうという問題点があった。
【０００８】
そこで、本発明の目的は、任意範囲の比較波形を見やすく表示させる波形表示装置および波形表示方法を実現することにある。
【課題を解決するための手段】
【０００９】
このような課題を達成するために、本発明のうち請求項１記載の発明は、
波形データを表示部に波形表示する波形表示装置において、
前記波形データの少なくとも２つのデータ範囲を入力する入力部と、
この入力部のデータ範囲に基づいて、前記波形データを前記表示部に重ね合わせて波形表示する比較波形表示手段と
を設けたことを特徴とするものである。
請求項２記載の発明は、請求項１記載の発明であって、
前記波形データを前記表示部に波形表示すると共に、前記入力部の入力により、データ範囲の期間を表示する波形表示手段を有することを特徴とするものである。
請求項３記載の発明は、請求項１または２記載の発明であって、
前記比較波形表示手段は、データ範囲ごとに線種または色を変えて波形表示することを特徴とするものである。
請求項４記載の発明は、請求項１〜３のいずれかに記載の発明であって、
前記比較波形表示手段は、前記入力部の指示により、波形データの時刻データの時刻及びデータの値を前記表示部に表示することを特徴とするものである。
請求項５記載の発明は、
波形データを表示部に波形表示する波形表示方法において、
前記波形データの少なくとも２つのデータ範囲を入力部により入力し、
この少なくとも２つのデータ範囲の波形データを前記表示部に重ね合わせて波形表示することを特徴とするものである。
請求項６記載の発明は、請求項５記載の発明であって、
前記波形データを前記表示部に波形表示すると共に、前記入力部の入力により、データ範囲の期間を表示する波形表示することを特徴とするものである。
【発明の効果】
【００１０】
本発明によれば、以下のような効果がある。請求項１〜４によれば、入力部によって波形データの少なくとも二つのデータ範囲を入力し、このデータ範囲に基づいて、比較波形表示手段が波形データを表示部に重ね合わせて波形表示することにより、任意範囲の比較波形を見やすく表示させ、容易に比較することが出来る。  
【００１１】
請求項５，６によれば、入力部によって波形データの少なくとも二つのデータ範囲を入力し、このデータ範囲に基づいて、波形データを表示部に重ね合わせて波形表示することにより、任意範囲の比較波形を見やすく表示させ、容易に比較することが出来る。  
【図面の簡単な説明】
【００１２】
【図１】本発明の一実施例を示した構成図である。
【図２】図１に示す装置の表示例を示した図である。
【図３】図１に示す装置の表示例を示した図である。
【図４】図１に示す装置の表示例を示した図である。
【図５】図１に示す装置の表示例を示した図である。
【図６】従来の波形表示装置の構成を示した図である。
【図７】図６に示す装置の表示例を示した図である。
【発明を実施するための形態】
【００１３】
以下本発明を、図面を用いて詳細に説明する。図１は本発明の一実施例を示した構成図である。
【００１４】
図１において、記憶部１は、オシロスコープ等の測定器（図示せず) で測定した時系列の波形データを格納する。ここで、波形データは複数の時刻データおよびデータの値からなる。入力部２はマウスやキーボード等で、波形データの少なくとも二つのデータ範囲等を入力する。表示部３はモニタ等で、波形表示等を行う。
【００１５】
制御部４は、記憶部１、入力部２、表示部３に接続され、波形表示手段５、比較波形表示手段６を有する。波形表示手段５は、記憶部１の波形データを表示部３に波形表示すると共に、入力部２の入力により、データ範囲の期間を表示する。比較波形表示手段６は、入力部２のデータ範囲に基づいて、記憶部１の波形データを表示部３に重ね合わせて波形表示する。
【００１６】
このような装置の動作を以下に説明する。図２〜５は、表示部３の表示例を示した図である。ここで、各図の縦軸が値で、横軸が時刻である。なお、２つのデータ範囲を選択する場合について説明するが、３つ以上のデータ範囲を選択しても良い。
【００１７】
オシロスコープなどの測定機器により波形データを取得し記憶部１に格納する。ユーザは制御部４を入力部２によって操作し、記憶部１に格納されている波形データを、表示部３に波形表示手段５により表示させる（図２）。ユーザはこの波形データのうち比較の基準となる任意の範囲を入力部２によって選択し、選択範囲３１とする(図３)。ここで、選択範囲３１では２９日の８：００〜翌日の０：００の時間帯を選択している。そして、入力部２により、比較対象となる範囲を選択し選択範囲３２とする(図４)。ここで、選択範囲３２では３０日の８：００〜翌日の０：００の時間帯を選択している。そして、比較波形表示手段６が、選択範囲３１，３２の波形データを記憶部１から読み出し、図５に示すように、それぞれ基準波形３３、比較波形３４として、表示部３に実線と破線で重ね合わせて表示する。また、比較波形表示手段６は、基準波形３３に対する時間軸３５、比較波形３４に対する時間軸３６をそれぞれ表示する。
【００１８】
また、入力部２によって制御部４を操作し、表示部３の画面上のカーソル３７を基準波形３３や比較波形３４に合わせることで、カーソル３７と交差した位置でのデータを、それぞれウィンドウ３８，３９に表示させる。つまり、ウィンドウ３８，３９にそれぞれの時刻データと値を表示させる。
【００１９】
このように、入力部２によって波形データの少なくとも２つのデータ範囲を入力し、このデータ範囲に基づいて、比較波形表示手段６が波形データを表示部３に重ね合わせて波形表示することにより、任意範囲の比較波形を見やすく表示させ、容易に比較することが出来る。
【００２０】
なお、本発明はこれに限定されるものではなく、入力部２により、比較の基準となる任意の範囲を波形データの始点と終点によって範囲指定している構成を示したが、始点と期間、中間点と期間、または終点と期間等で指定しても良い。
【００２１】
また、比較波形表示手段６は、基準波形３３、比較波形３４を線種を変えて表示する構成を示したが、同一の線種や色を変えて表示する構成でもよい。
【符号の説明】
【００２２】
１  記憶部
２  入力部
３  表示部
４  制御部
５  波形表示手段
６  比較波形表示手段
【図１】
2010249638.tif 000003
【図２】
2010249638.tif 000004
【図３】
2010249638.tif 000005
【図４】
2010249638.tif 000006
【図５】
2010249638.tif 000007
【図６】
2010249638.tif 000008
【図７】
2010249638.tif 000009